(57)【特許請求の範囲】
【請求項１】
バッテリーの出力電圧が、当該バッテリーが供給する直流電圧で機器を駆動することが要求されてから、当該バッテリーが放電を停止すべき電圧である放電停止電圧に下がるまでの放電時間を計時する計時手段と、
前記計時手段で計時された放電時間が、前記バッテリーを新品と判断するために設定された所定時間以上である場合、当該バッテリーを新品と判断する判定手段と、
前記バッテリーの出力電圧が、外部から供給される交流電圧で機器を駆動することが要求されてから放電停止電圧に下がるまでの放電時間を計時し、計時された放電時間を、前記バッテリーが供給する直流電圧で機器を駆動することが要求された場合の放電時間に換算して出力する軽負荷時計時手段とを具備するバッテリー管理装置。
【請求項２】
前記判定手段は、前記計時手段で計時された放電時間と、前記軽負荷時計時手段から出力される換算後の放電時間とを合わせた放電時間が、前記バッテリーを新品と判断するために設定された所定時間以上である場合、当該バッテリーを新品と判断する請求項１記載のバッテリー管理装置。
【請求項３】
前記判定手段により前記バッテリーが新品と判断された場合、そのバッテリーについての充電回数を初期値に設定し、以後、当該バッテリーに対して充電が行なわれる毎に充電回数をカウントする計数手段を具備する請求項２記載のバッテリー管理装置。
【請求項４】
前記計数手段でカウントされた充電回数が、前記バッテリーの交換時期を判断するために設定された所定回数以上である場合、当該バッテリーを交換することを通知する通知手段を具備する請求項３記載のバッテリー管理装置。
【請求項５】
前記計数手段により充電回数が初期値に設定されたバッテリーに対し、その出力電圧が充電開始電圧に下がった状態で充電を行なう充電手段を具備する請求項３記載のバッテリー管理装置。
【請求項６】
前記計時手段で計時された放電時間と、前記軽負荷時計時手段から出力される換算後の放電時間とを合わせた放電時間が、前記バッテリーの交換時期を判断するために設定された所定時間以下である場合、当該バッテリーを交換することを通知する通知手段を具備する請求項１記載のバッテリー管理装置。
【請求項７】
バッテリーの出力電圧が、当該バッテリーが供給する直流電圧で機器を駆動することが要求されてから、当該バッテリーが放電を停止すべき電圧である放電停止電圧に下がるまでの放電時間を計時する工程と、
計時された放電時間が、前記バッテリーを新品と判断するために設定された所定時間以上である場合、当該バッテリーを新品と判断する工程と、
前記バッテリーの出力電圧が、外部から供給される交流電圧で機器を駆動することが要求されてから放電停止電圧に下がるまでの放電時間を計時し、計時された放電時間を、前記バッテリーが供給する直流電圧で機器を駆動することが要求された場合の放電時間に換算して出力する工程とを有するバッテリー管理方法。
【発明の詳細な説明】
【技術分野】
【０００１】
この発明の実施の形態は、個体識別ができない充電式のバッテリーを管理するバッテリー管理装置及びバッテリー管理方法に関する。
【背景技術】
【０００２】
周知のように、近年では、携帯用に限らず据置型の電子機器にも充電式のバッテリーを搭載し、電力需要に余裕のある時間帯にバッテリーを充電しておき、電力消費量のピークとなる時間帯にバッテリーの電力で電子機器を駆動することにより、電力消費量の多い時間帯をシフトして電力需要の分散化を図ることが考えられている。
【０００３】
ところで、バッテリーには、固有の識別情報が付与されて個体識別が可能となされたものと、個体識別ができないものとがある。このうち、個体識別が可能なバッテリーは、識別情報に対応させて充放電に関する履歴情報の保存が可能なため、バッテリーの性能の劣化具合から交換時期等を決定することができる。
【０００４】
これに対し、個体識別ができないバッテリーでは、充放電に関する履歴情報を保存することができないため、性能の劣化具合を把握して交換時期を決定することが困難になっている。現状では、ユーザが、例えば充放電の周期が短くなってきたことを感じて、バッテリーの交換時期を決定しているのが一般的である。
【先行技術文献】
【特許文献】
【０００５】
【特許文献１】特開平１０−１３４８４７号公報
【発明の概要】
【発明が解決しようとする課題】
【０００６】
個体識別ができない充電式のバッテリーに対して、充放電動作や交換時期等を適切に管理することができ、ユーザにとっての取り扱いを便利にし、実用に適し得るようにしたバッテリー管理装置及びバッテリー管理方法を提供することを目的とする。
【課題を解決するための手段】
【０００７】
実施の形態によれば、バッテリー管理装置は、計時手段と判定手段と軽負荷時計時手段とを備える。計時手段は、バッテリーの出力電圧が、当該バッテリーが供給する直流電圧で機器を駆動することが要求されてから、当該バッテリーが放電を停止すべき電圧である放電停止電圧に下がるまでの放電時間を計時する。判定手段は、計時手段で計時された放電時間が、バッテリーを新品と判断するために設定された所定時間以上である場合、当該バッテリーを新品と判断する。軽負荷時計時手段は、バッテリーの出力電圧が、外部から供給される交流電圧で機器を駆動することが要求されてから放電停止電圧に下がるまでの放電時間を計時し、計時された放電時間を、バッテリーが供給する直流電圧で機器を駆動することが要求された場合の放電時間に換算して出力する。
【図面の簡単な説明】
【０００８】
【図１】実施の形態におけるデジタルテレビジョン放送受信装置の一例を説明するために示す外観図。
【図２】同実施の形態におけるデジタルテレビジョン放送受信装置の信号処理系の一例を概略的に説明するために示すブロック構成図。
【図３】同実施の形態におけるデジタルテレビジョン放送受信装置に備えられた電源部の一例を説明するために示すブロック構成図。
【図４】同実施の形態におけるデジタルテレビジョン放送受信装置に使用されるバッテリーの放電特性の一例を説明するために示す特性図。
【図５】同実施の形態におけるデジタルテレビジョン放送受信装置が行なうバッテリーの放電時間を計時する処理動作の一例の一部を説明するために示すフローチャート。
【図６】同実施の形態におけるデジタルテレビジョン放送受信装置が行なうバッテリーの放電時間を計時する処理動作の一例の残部を説明するために示すフローチャート。
【図７】同実施の形態におけるデジタルテレビジョン放送受信装置が行なうバッテリーの軽負荷時の放電時間を計時する処理動作の一例の一部を説明するために示すフローチャート。
【図８】同実施の形態におけるデジタルテレビジョン放送受信装置が行なうバッテリーの軽負荷時の放電時間を計時する処理動作の一例の残部を説明するために示すフローチャート。
【図９】同実施の形態におけるデジタルテレビジョン放送受信装置が行なう主要な処理動作の一例の一部を説明するために示すフローチャート。
【図１０】同実施の形態におけるデジタルテレビジョン放送受信装置が行なう主要な処理動作の一例の他の一部を説明するために示すフローチャート。
【図１１】同実施の形態におけるデジタルテレビジョン放送受信装置が行なう主要な処理動作の一例の残部を説明するために示すフローチャート。
【発明を実施するための形態】
【０００９】
以下、実施の形態について図面を参照して詳細に説明する。図１（ａ）は、この実施の形態で説明するデジタルテレビジョン放送受信装置１１を正面側から見た一例を示している。このデジタルテレビジョン放送受信装置１１は、薄型のキャビネット１２と、このキャビネット１２を起立させて支持する支持台１３とから構成されている。
【００１０】
そして、上記キャビネット１２には、その正面中央部に映像表示部としての映像表示パネル１４が配置されている。また、このキャビネット１２には、その正面下部に、一対のスピーカ１５，１５と、主電源スイッチ１６ａを含む操作部１６と、リモートコントローラ１７から送信される操作情報を受信するための受光部１８とが配置されている。
【００１１】
図１（ｂ）は、上記デジタルテレビジョン放送受信装置１１を背面側から見た一例を示している。この場合、上記キャビネット１２には、その背面側の下部にバッテリー装着部１９が設けられている。このバッテリー装着部１９には、充電可能なバッテリー（図示せず）が着脱自在に装着されるようになっている。
【００１２】
そして、上記デジタルテレビジョン放送受信装置１１は、このバッテリー装着部１９に装着されたバッテリーに対して充電を行なうことができる。また、上記デジタルテレビジョン放送受信装置１１は、このバッテリー装着部１９に装着されたバッテリーからの供給電力を受けて駆動される。
【００１３】
図２は、上記デジタルテレビジョン放送受信装置１１の信号処理系の一例を概略的に示している。すなわち、アンテナ２０で受信したデジタルテレビジョン放送信号は、入力端子２１を介してチューナ部２２に供給されることにより、所望のチャンネルの放送信号が選局される。
【００１４】
このチューナ部２２で選局された放送信号は、復調復号部２３に供給されてデジタルの映像信号及び音声信号等に復元された後、信号処理部２４に出力される。この信号処理部２４は、復調復号部２３から供給されたデジタルの映像信号及び音声信号に対してそれぞれ所定のデジタル信号処理を施している。
【００１５】
そして、この信号処理部２４は、デジタルの映像信号を合成処理部２５に出力し、デジタルの音声信号を音声処理部２６に出力している。このうち、合成処理部２５は、信号処理部２４から供給されるデジタルの映像信号に、ＯＳＤ（on screen display）信号を重畳して出力している。
【００１６】
この合成処理部２５から出力されたデジタルの映像信号は、映像処理部２７に供給されて所定のフォーマットのアナログ映像信号に変換された後、例えば液晶等で構成された上記映像表示パネル１４上での映像形成に供される。そして、この映像表示パネル１４に、ＬＥＤ等を光源とするバックライト２８からの照明光が照射されることにより、映像の表示が行なわれる。
【００１７】
また、上記音声処理部２６は、入力されたデジタルの音声信号を、後段の上記スピーカ１５で再生可能なフォーマットのアナログ音声信号に変換している。そして、この音声処理部２６から出力されたアナログ音声信号が、スピーカ１５に供給されることにより音声再生に供される。
【００１８】
ここで、このデジタルテレビジョン放送受信装置１１は、上記した各種の受信動作を含むその全ての動作を制御部２９によって統括的に制御されている。この制御部２９は、ＣＰＵ（central processing unit）２９ａを内蔵しており、上記操作部１６からの操作情報を受けて、または、上記リモートコントローラ１７から送出され受光部１８で受信した操作情報を受けて、その操作内容が反映されるように各部をそれぞれ制御している。
【００１９】
この場合、制御部２９は、メモリ部２９ｂを利用している。このメモリ部２９ｂは、主として、ＣＰＵ２９ａが実行する制御プログラムを格納したＲＯＭ（read only memory）と、該ＣＰＵ２９ａに作業エリアを提供するためのＲＡＭ（random access memory）と、各種の設定情報及び制御情報等が格納される不揮発性メモリとを有している。
【００２０】
また、この制御部２９には、ＨＤＤ（hard disk drive）３０が接続されている。この制御部２９は、ユーザによる操作部１６やリモートコントローラ１７の操作に基づいて、上記復調復号部２３から得られるデジタルの映像信号及び音声信号を、記録再生処理部３１によって暗号化し所定の記録フォーマットに変換した後、ＨＤＤ３０に供給してハードディスク３０ａに記録させるように制御することができる。
【００２１】
さらに、この制御部２９は、ユーザによる操作部１６やリモートコントローラ１７の操作に基づいて、ＨＤＤ３０によりハードディスク３０ａからデジタルの映像信号及び音声信号を読み出させ、上記記録再生処理部３１によって復号化した後、信号処理部２４に供給することによって、以後、上記した映像表示及び音声再生に供させるように制御することができる。
【００２２】
また、上記記録再生処理部３１には、入力端子３２が接続されている。この入力端子３２は、デジタルテレビジョン放送受信装置１１の外部からデジタルの映像信号及び音声信号を直接入力するためのものである。この入力端子３２を介して入力されたデジタルの映像信号及び音声信号は、制御部２９の制御に基づいて、記録再生処理部３１を介した後、信号処理部２４に供給されて、以後、上記した映像表示及び音声再生に供される。
【００２３】
さらに、この入力端子３２を介して入力されたデジタルの映像信号及び音声信号は、制御部２９の制御に基づいて、記録再生処理部３１を介した後、ＨＤＤ３０によるハードディスク３０ａに対しての記録再生に供される。
【００２４】
また、上記制御部２９には、ネットワークインターフェース３３が接続されている。このネットワークインターフェース３３は、外部のネットワーク回線網３４に接続されている。そして、このネットワーク回線網３４には、当該ネットワーク回線網３４を介した通信機能を利用して各種のサービスを提供するためのネットワークサーバ３５が接続されている。
【００２５】
このため、制御部２９は、ユーザによる操作部１６やリモートコントローラ１７の操作に基づき、ネットワークインターフェース３３及びネットワーク回線網３４を介して、ネットワークサーバ３５にアクセスして情報通信を行なうことにより、そこで提供しているサービスを利用することができるようになっている。
【００２６】
また、上記制御部２９には、電源部３６が接続されている。この電源部３６には、電力会社が家庭向けに配給している商用ＡＣ（交流）電力が、電源端子３７を介して供給されている。そして、この電源部３６は、制御部２９の制御に基づいて、電源端子３７に供給されたＡＣ電力を元として、デジタルテレビジョン放送受信装置１１を構成している各部１４〜１６，１８，２２〜３１，３３等に必要な電力を供給するように機能している。
【００２７】
この場合、上記電源部３６は、上記したバッテリー装着部１９を含んでいる。そして、この電源部３６は、制御部２９の制御に基づいて、電源端子３７を介して供給されるＡＣ電力により、バッテリー装着部１９に装着されたバッテリー３８を充電したり、このバッテリー３８の充電電力を電源端子３７に供給されたＡＣ電力に代えて各部に供給したりすることができる。この場合、バッテリー３８としては、例えばリチウムイオンバッテリー等が用いられ、個体識別のできないものが想定される。
【００２８】
また、上記制御部２９は、タイマ２９ｃ，２９ｄ及び電源制御部２９ｅを備えている。このうち、タイマ２９ｃ，２９ｄは、それぞれ、現在時刻の取得や時間経過を計測する計時動作のために利用される。さらに、電源制御部２９ｅは、詳細は後述するが、上記電源部３６の動作を制御している。
【００２９】
図３は、上記電源部３６の一例を示している。この電源部３６は、上記電源端子３７を介してＡＣ電力が供給される入力端子３９を備えている。この入力端子３９に供給されたＡＣ電力は、ＡＣ（alternating current）−ＤＣ（direct current）変換部４０に供給される。
【００３０】
このＡＣ−ＤＣ変換部４０は、入力されたＡＣ電力を所定レベルのＤＣ（直流）電力に変換して、バッテリー駆動制御部４１に出力している。また、このＡＣ−ＤＣ変換部４０は、入力端子３９にＡＣ電力が供給されている状態か、例えば停電等により入力端子３９にＡＣ電力が供給されていない状態かを検出し、その検出結果を示すＡＣ検出信号を生成して、上記バッテリー駆動制御部４１に出力している。
【００３１】
このバッテリー駆動制御部４１は、セレクタ４１ａにより、ＡＣ−ＤＣ変換部４０から供給されるＤＣ電力と、バッテリー３８から供給されるＤＣ電力とを、選択的に出力端子４２に導くように機能する。そして、この出力端子４２から取り出されたＤＣ電力は、デジタルテレビジョン放送受信装置１１を構成している上記制御部２９に供給されるとともに、その他の各部１４〜１６，１８，２２〜２８，３０，３１，３３に供給される。
【００３２】
この場合、バッテリー駆動制御部４１は、ＡＣ−ＤＣ変換部４０から供給されたＡＣ検出信号を、出力端子４３から制御部２９に出力している。制御部２９の電源制御部２９ｅは、入力されたＡＣ検出信号が、入力端子３９にＡＣ電力が供給されていない旨を示すものであれば、バッテリー３８から出力されるＤＣ電力を出力端子４２に導くようにセレクタ４１ａを切り替えるセレクタ制御信号を出力する。このセレクタ制御信号は、入力端子４４を介してバッテリー駆動制御部４１のセレクタ制御部４１ｂに供給され、セレクタ４１ａの切り替えに供される。
【００３３】
このように、バッテリー３８から出力されるＤＣ電力でデジタルテレビジョン放送受信装置１１を駆動している状態では、その駆動時間、つまり、バッテリー３８の放電時間が制御部２９のタイマ２９ｃによって計時される。
【００３４】
また、制御部２９の上記電源制御部２９ｅは、入力されたＡＣ検出信号が、入力端子３９にＡＣ電力が供給されている旨を示すものであれば、ＡＣ−ＤＣ変換部４０から出力されるＤＣ電力を出力端子４２に導くようにセレクタ４１ａを切り替えるセレクタ制御信号を出力する。このセレクタ制御信号は、入力端子４４を介してバッテリー駆動制御部４１のセレクタ制御部４１ｂに供給され、セレクタ４１ａの切り替えに供される。
【００３５】
なお、このように、ＡＣ−ＤＣ変換部４０から出力されるＤＣ電力でデジタルテレビジョン放送受信装置１１を駆動している状態においても、バッテリー３８のＤＣ電力は、後述するバッテリー電圧検出部４１ｃや充電制御部４１ｄでの電圧検出等に利用されることにより消費されている。そして、このような軽負荷時におけるバッテリー３８の放電時間が、制御部２９のタイマ２９ｄによって計時される。
【００３６】
さらに、上記バッテリー駆動制御部４１は、バッテリー電圧検出部４１ｃによりバッテリー３８の出力ＤＣ電圧を検出し、その検出結果を示すバッテリー電圧検出信号を出力端子４５から制御部２９に出力している。制御部２９の電源制御部２９ｅは、入力されたバッテリー電圧検出信号を解析し、バッテリー３８に対して充電が必要であると判断すれば、充電開始信号を出力する。
【００３７】
この充電開始信号が、入力端子４６を介してバッテリー駆動制御部４１の充電制御部４１ｄに供給されると、充電制御部４１ｄは、ＡＣ−ＤＣ変換部４０から出力されるＤＣ電力をバッテリー３８に供給し、バッテリー３８に対する充電を開始する。この場合、ＡＣ−ＤＣ変換部４０の電力供給能力が十分に高ければ、ＡＣ−ＤＣ変換部４０から出力されるＤＣ電力を、デジタルテレビジョン放送受信装置１１の駆動とバッテリー３８の充電とに同時に利用することができるが、一般的には、安全性を考慮して、デジタルテレビジョン放送受信装置１１の非駆動時、つまり、テレビジョン放送番組を視聴していない待機時に、バッテリー３８に対する充電を行なうようにしている。
【００３８】
なお、上記充電制御部４１ｄは、バッテリー３８が満充電状態になったことを検出した場合、充電完了信号を出力する。この充電完了信号が出力端子４７を介して制御部２９に供給されると、制御部２９の電源制御部２９ｅは、充電開始信号の出力を停止して充電を停止させるように機能する。
【００３９】
また、上記バッテリー駆動制御部４１は、バッテリー装着検出部４１ｅを備えている。このバッテリー装着検出部４１ｅは、バッテリー３８が上記バッテリー装着部１９に装着されたことを検出してバッテリー装着信号を出力する。このバッテリー装着信号が出力端子４８を介して制御部２９に供給されることにより、制御部２９の電源制御部２９ｅがバッテリー３８の装着を認識する。
【００４０】
図４は、上記バッテリー３８から出力されるＤＣ電力でデジタルテレビジョン放送受信装置１１を駆動した場合におけるバッテリー３８の放電特性の一例を示している。なお、図４に実線で示す特性Ａは、バッテリーとしての性能が劣化していない新品のバッテリー３８の放電特性を示し、一点鎖線で示す特性Ｂは、バッテリーとしての性能が劣化して新品への交換が望まれるバッテリー３８の放電特性を示している。
【００４１】
まず、満充電電圧Ｖmaxまで充電された新品のバッテリー３８に対し、時刻Ｔ１で放電を開始すると、当該バッテリー３８の出力電圧Ｖ０は、時刻Ｔ４で充電を行なうべき充電開始電圧Ｖsまで降下し、その後、時刻Ｔ５で放電を停止すべき放電停止電圧Ｖminに達する。ここで、放電停止電圧Ｖminとは、充電式のバッテリー３８にとって、その充放電特性をできるだけ劣化させないように維持するために、これ以上放電すべきでないとして設定される電圧を意味している。
【００４２】
これに対し、満充電電圧Ｖmaxまで充電された交換直前のバッテリー３８に対し、時刻Ｔ１で放電を開始すると、当該バッテリー３８の出力電圧Ｖ０は、時刻Ｔ４よりも早い時刻Ｔ２で充電を行なうべき充電開始電圧Ｖsまで降下し、その後、時刻Ｔ５よりも早い時刻Ｔ３で放電を停止すべき放電停止電圧Ｖminに達する。
【００４３】
すなわち、バッテリー３８は、同じ満充電電圧Ｖmaxから放電を開始した場合、性能が劣化しているほど、充電開始電圧Ｖsや放電停止電圧Ｖminに達するまでの時間が短くなる。また、このことは、先に述べた軽負荷時についても同様である。
【００４４】
このため、バッテリー３８の放電時間を計時し、その計時された放電時間を、新品のバッテリー３８と判断するために予め設定された所定の放電時間や、バッテリー３８を交換すべきと判断するために予め設定された所定の放電時間等と比較することにより、そのバッテリー３８が新品であるか否か、または、交換時期に達したか否か等を判断することができ、バッテリー３８の管理を行なうことが可能となる。
【００４５】
そこで、図５及び図６は、バッテリー３８から出力されるＤＣ電力でデジタルテレビジョン放送受信装置１１を駆動した場合において、上記制御部２９の電源制御部２９ｅがタイマ２９ｃを用いてバッテリー３８の放電時間を計時する処理動作をまとめたフローチャートを示している。
【００４６】
すなわち、処理が開始（ステップＳ５ａ）されると、電源制御部２９ｅは、ステップＳ５ｂで、バッテリー３８がバッテリー装着部１９に装着されているか否かを判別し、装着されていないと判断された場合（ＮＯ）、処理を終了（ステップＳ６ｉ）する。
【００４７】
また、上記ステップＳ５ｂでバッテリー３８がバッテリー装着部１９に装着されていると判断された場合（ＹＥＳ）、電源制御部２９ｅは、ステップＳ５ｃで、電源部３６に外部からのＡＣ電力が供給されているか否かを判別し、供給されていると判断された場合（ＹＥＳ）、処理を終了（ステップＳ６ｉ）する。
【００４８】
一方、上記ステップＳ５ｃで電源部３６に外部からのＡＣ電力が供給されていないと判断された場合（ＮＯ）、電源制御部２９ｅは、ステップＳ５ｄで、バッテリー３８のＤＣ電力でデジタルテレビジョン放送受信装置１１を駆動するように、つまり、デジタルテレビジョン放送受信装置１１をＤＣ駆動させるように制御する。
【００４９】
その後、電源制御部２９ｅは、ステップＳ５ｅで、上記タイマ２９ｃに計時動作を開始させ、ステップＳ５ｆで、電源部３６に外部からのＡＣ電力が供給されているか否かを判別する。
【００５０】
そして、ＡＣ電力が供給されていないと判断された場合（ＮＯ）、電源制御部２９ｅは、ステップＳ５ｇで、バッテリー３８の出力電圧Ｖ０が放電停止電圧Ｖmin以上であるか否かを判別し、Ｖ０≧Ｖminであると判断された場合（ＹＥＳ）、ステップＳ５ｆの処理に戻される。
【００５１】
また、上記ステップＳ５ｇでＶ０≧Ｖminでないと判断された場合（ＮＯ）、電源制御部２９ｅは、ステップＳ６ａで、上記タイマ２９ｃの計時動作を停止させ、ステップＳ６ｂで、タイマ２９ｃの計時結果α１を、バッテリー３８の放電時間Ｔ１として加算する。
【００５２】
一方、上記ステップＳ５ｆで電源部３６に外部からのＡＣ電力が供給されていると判断された場合（ＹＥＳ）、電源制御部２９ｅは、ステップＳ５ｈで、外部からのＡＣ電力でデジタルテレビジョン放送受信装置１１を駆動するように、つまり、デジタルテレビジョン放送受信装置１１をＡＣ駆動させるように制御する。
【００５３】
そして、電源制御部２９ｅは、ステップＳ６ｃで、上記タイマ２９ｃの計時動作を停止させ、ステップＳ６ｄで、タイマ２９ｃの計時結果α１を、バッテリー３８の放電時間Ｔ１として加算する。その後、電源制御部２９ｅは、ステップＳ６ｅで、バッテリー３８の出力電圧Ｖ０が充電開始電圧Ｖs以下であるか否かを判別し、Ｖ０≦Ｖsでないと判断された場合（ＮＯ）、ステップＳ５ｂの処理に戻される。
【００５４】
また、上記ステップＳ６ｂの後、または、上記ステップＳ６ｅでＶ０≦Ｖsであると判断された場合（ＹＥＳ）、電源制御部２９ｅは、ステップＳ６ｆで、デジタルテレビジョン放送受信装置１１をＤＣ駆動したときのバッテリー３８の放電時間Ｔ１と、デジタルテレビジョン放送受信装置１１をＡＣ駆動したときの、つまり、軽負荷時のバッテリー３８の放電時間Ｔ３（図７及び図８で説明）とを合わせたトータルの放電時間Ｔ０＝Ｔ１＋Ｔ３を算出する。
【００５５】
その後、電源制御部２９ｅは、ステップＳ６ｇで、トータルのバッテリー３８の放電時間Ｔ０を１回前の放電時間Ｔｎ−１として集計し、ステップＳ６ｈで、バッテリー３８の放電時間Ｔ１を初期化して、処理を終了（ステップＳ６ｉ）する。
【００５６】
また、図７及び図８は、外部から供給されるＡＣ電力でデジタルテレビジョン放送受信装置１１を駆動している状態、つまり、バッテリー３８に対する軽負荷時において、制御部２９の電源制御部２９ｅがタイマ２９ｄを用いてバッテリー３８の放電時間を計時する処理動作をまとめたフローチャートを示している。
【００５７】
すなわち、処理が開始（ステップＳ７ａ）されると、電源制御部２９ｅは、ステップＳ７ｂで、バッテリー３８がバッテリー装着部１９に装着されているか否かを判別し、装着されていないと判断された場合（ＮＯ）、処理を終了（ステップＳ８ｇ）する。
【００５８】
また、上記ステップＳ７ｂでバッテリー３８がバッテリー装着部１９に装着されていると判断された場合（ＹＥＳ）、電源制御部２９ｅは、ステップＳ７ｃで、電源部３６に外部からのＡＣ電力が供給されているか否かを判別し、供給されていないと判断された場合（ＮＯ）、処理を終了（ステップＳ８ｇ）する。
【００５９】
一方、上記ステップＳ７ｃで電源部３６に外部からのＡＣ電力が供給されていると判断された場合（ＹＥＳ）、電源制御部２９ｅは、ステップＳ７ｄで、外部から供給されるＡＣ電力でデジタルテレビジョン放送受信装置１１を駆動するように、つまり、デジタルテレビジョン放送受信装置１１をＡＣ駆動させるように制御する。
【００６０】
その後、電源制御部２９ｅは、ステップＳ７ｅで、上記タイマ２９ｄに計時動作を開始させ、ステップＳ７ｆで、電源部３６に外部からのＡＣ電力が供給されているか否かを判別する。
【００６１】
そして、ＡＣ電力が供給されていると判断された場合（ＹＥＳ）、電源制御部２９ｅは、ステップＳ７ｇで、バッテリー３８の出力電圧Ｖ０が放電停止電圧Ｖmin以上であるか否かを判別し、Ｖ０≧Ｖminであると判断された場合（ＹＥＳ）、ステップＳ７ｆの処理に戻される。
【００６２】
また、上記ステップＳ７ｆでＡＣ電力が供給されていないと判断された場合（ＮＯ）、電源制御部２９ｅは、ステップＳ７ｈで、バッテリー３８のＤＣ電力でデジタルテレビジョン放送受信装置１１を駆動するように、つまり、デジタルテレビジョン放送受信装置１１をＤＣ駆動させるように制御する。
【００６３】
そして、このステップＳ７ｈの後、または、上記ステップＳ７ｇでＶ０≧Ｖminでないと判断された場合（ＮＯ）、電源制御部２９ｅは、ステップＳ８ａで、上記タイマ２９ｄの計時動作を停止させ、ステップＳ８ｂで、タイマ２９ｄの計時結果α２を、バッテリー３８の軽負荷時の放電時間Ｔ２として加算する。
【００６４】
その後、電源制御部２９ｅは、ステップＳ８ｃで、軽負荷時の放電時間Ｔ２をＤＣ駆動時の放電時間に換算するように補正した放電時間Ｔ３を算出する。この放電時間Ｔ３は、ＤＣ駆動時における放電電圧及び放電時間の測定値と、軽負荷時における放電電圧と放電時間の測定値とに基づいて予め計算された補正値βによって、軽負荷時に掲示された放電時間Ｔ２を除算することによって得られる。
【００６５】
そして、電源制御部２９ｅは、ステップＳ８ｄで、デジタルテレビジョン放送受信装置１１をＤＣ駆動したときのバッテリー３８の放電時間Ｔ１と、デジタルテレビジョン放送受信装置１１をＡＣ駆動したときの、つまり、軽負荷時のバッテリー３８の放電時間Ｔ３とを合わせたトータルの放電時間Ｔ０＝Ｔ１＋Ｔ３を算出する。
【００６６】
その後、電源制御部２９ｅは、ステップ８ｅで、トータルのバッテリー３８の放電時間Ｔ０を１回前の放電時間Ｔｎ−１として集計し、ステップＳ８ｆで、軽負荷時のバッテリー３８の放電時間Ｔ２を初期化して、処理を終了（ステップＳ８ｇ）する。
【００６７】
次に、図９乃至図１１は、上記のようにして得られたバッテリー３８の放電時間Ｔ０を用いて、制御部２９の電源制御部２９ｅが、ＡＣ駆動時にバッテリー３８の管理を行なう処理動作をまとめたフローチャートを示している。
【００６８】
すなわち、処理が開始（ステップＳ９ａ）されると、電源制御部２９ｅは、ステップＳ９ｂで、バッテリー３８の放電時間の最大値Ｔmaxと最小値Ｔminとを設定する。このうち、最大値Ｔmaxは、新品のバッテリー３８が満充電電圧Ｖmaxから放電停止電圧Ｖminに達するまでの放電時間に対応して設定される。また、最小値Ｔminは、性能が劣化し交換時期に達したバッテリー３８が満充電電圧Ｖmaxから放電停止電圧Ｖminに達するまでの放電時間に対応して設定される。
【００６９】
次に、電源制御部２９ｅは、ステップＳ９ｃで、バッテリー３８の充電回数の最大値Ｆmaxを設定する。この最大値Ｆmaxは、バッテリー３８の交換をユーザに促す充電回数に対応して設定される。
【００７０】
そして、電源制御部２９ｅは、ステップＳ９ｄで、バッテリー３８のＤＣ電力でデジタルテレビジョン放送受信装置１１を駆動する、つまり、デジタルテレビジョン放送受信装置１１のＤＣ駆動状態か否かを判別し、ＤＣ駆動状態であると判断された場合（ＹＥＳ）、処理を終了（ステップＳ１１ｇ）する。このＤＣ駆動状態か否かの判別は、電源制御部２９ｃが、上記ＡＣ−ＤＣ変換部４０で生成されバッテリー駆動制御部４１を介して供給されるＡＣ検出信号を解析することにより行なわれる。
【００７１】
また、上記ステップＳ９ｄでＤＣ駆動状態でないと判断された場合（ＮＯ）、電源制御部２９ｅは、ステップＳ９ｅで、装着されているバッテリー３８について、その出力電圧Ｖ０，放電時間Ｔ０及び充電回数Ｆ０についてのモニタを開始する。
【００７２】
このうち、バッテリー３８の出力電圧Ｖ０については、電源制御部２９ｅがバッテリー駆動制御部４１のバッテリー電圧検出部４１ｃら出力されるバッテリー電鬱検出信号を解析することにより得ることができる。また、バッテリー３８の放電時間Ｔ０については、図５及び図６に示したフローチャートや、図７及び図８に示したフローチャート等で説明した手法により得ることができる。さらに、バッテリー３８の充電回数Ｆ０については、後述する充電開始処理の行なわれた回数から得ることができる。
【００７３】
その後、電源制御部２９ｅは、ステップＳ９ｆで、バッテリー３８の出力電圧Ｖ０が充電開始電圧Ｖs以下であるか否かを判別し、Ｖ０≦Ｖsでないと判断された場合（ＮＯ）、Ｖ０≦Ｖsになるまで待ち、Ｖ０≦Ｖsであると判断された場合（ＹＥＳ）、ステップＳ１０ａで、バッテリー３８の１回前までの放電時間Ｔｎ−１が放電時間の最小値Ｔmin以下であるか否かを判別する。
【００７４】
そして、Ｔmin≧Ｔｎ−１であると判断された場合（ＹＥＳ）、電源制御部２９ｅは、ステップＳ１０ｂで、バッテリー３８の放電時間Ｔ０が放電時間の最大値Ｔmax以上であるか否かを判別し、Ｔmax≦Ｔ０であると判断された場合（ＹＥＳ）、バッテリー３８が新品であると判断し、ステップＳ１０ｃで、バッテリー３８の充電回数Ｆ０を初期値に設定する。
【００７５】
また、上記ステップＳ１０ｂでＴmax≦Ｔ０でないと判断された場合（ＮＯ）、電源制御部２９ｅは、ステップＳ１０ｄで、バッテリー３８の放電時間Ｔ０が放電時間の最小値Ｔmin以下であるか否かを判別し、Ｔmin≧Ｔ０でないと判断された場合（ＮＯ）、ステップＳ１０ｅで、バッテリー３８の充電回数Ｆ０が最大値Ｆmaxに達したか否かを判別する。
【００７６】
そして、上記ステップＳ１０ｄでＴmin≧Ｔ０であると判断された場合（ＹＥＳ）、または、上記ステップＳ１０ｅでＦmax＝Ｆ０であると判断された場合（ＹＥＳ）、電源制御部２９ｅは、ステップＳ１１ａで、ユーザにバッテリー３８の交換を促すメッセージを映像表示パネル１４に表示させて、処理を終了（ステップＳ１１ｇ）する。
【００７７】
一方、上記ステップＳ１０ａＴmin≧Ｔｎ−１でないと判断された場合（ＮＯ）、上記ステップＳ１０ｅでＦmax＝Ｆ０でないと判断された場合（ＮＯ）、または、上記ステップＳ１０ｃの後、電源制御部２９ｅは、ステップＳ１１ｂで、バッテリー３８の充電を開始し、ステップＳ１１ｃで、バッテリー３８の電圧Ｖ０が満充電電圧Ｖmaxに達したか否かを判別する。
【００７８】
そして、Ｖmax＝Ｖ０でないと判断された場合（ＮＯ）、Ｖmax＝Ｖ０になるまで待ち、Ｖmax＝Ｖ０になったと判断された場合（ＹＥＳ）、電源制御部２９ｅは、ステップＳ１１ｄで、バッテリー３８の充電を停止し、ステップＳ１１ｅで、放電時間Ｔ０を初期化した後、ステップＳ１１ｆで、バッテリー３８の充電回数Ｆ０を＋１して、処理を終了（ステップＳ１１ｇ）する。
【００７９】
上記した実施の形態によれば、バッテリー３８の放電時間Ｔ０を実測し、その放電時間Ｔ０が新品のバッテリー３８の放電時間に対応して予め設定された最大値Ｔmax以上である場合に、新品のバッテリー３８と判断するようにしているので、個体識別ができないバッテリー３８に対しても、新品に交換したことを判別することができるようになる。
【００８０】
また、バッテリー３８が新品と判断された場合、当該バッテリー３８に対する充電回数Ｆ０を初期化して、以後、充電が行なわれる毎に充電回数をカウントするようにしているので、個体識別ができないバッテリー３８に対しても、新品に交換した後に、その充電回数Ｆ０を管理することができるようになる。
【００８１】
さらに、上記のようにカウントされた充電回数Ｆ０が、バッテリー３８を交換すべき充電回数として予め設定された最大値Ｆmaxに達した場合、または、実測されたバッテリー３８の放電時間Ｔ０が、バッテリー３８を交換すべき放電時間として予め設定された最小値Ｔmin以下になった場合に、ユーザにバッテリー３８の交換を促すメッセージを表示させるようにしている。このため、個体識別ができないバッテリー３８に対しても、交換時期を容易に管理することができる。
【００８２】
また、バッテリー３８に対して交換すべきとの判断が与えられた場合には、強制的にバッテリー３８からの電力供給を遮断して、バッテリー３８による駆動を停止させるようにすることもできる。これにより、寿命に達したバッテリー３８から異常な電力が供給されることによる、機器の破損や誤作動の発生を未然に防止することができる。
【００８３】
ここで、上記した実施の形態では、バッテリー３８が新品であるか否か、または、交換すべきか否かを判断するための放電時間Ｔ０として、ＤＣ駆動時の放電時間Ｔ１と軽負荷時（ＡＣ駆動時）の放電時間Ｔ３とを合わせたものを用いているため、バッテリー３８の管理を正確に行なうことができる。
【００８４】
しかしながら、バッテリー３８の管理の精度によっては、放電時間Ｔ０としてＤＣ駆動時の放電時間Ｔ１のみを用いるようにしても良いものである。また、ＤＣ駆動時の放電時間Ｔ１とＡＣ駆動時の放電時間Ｔ３とを合わせずに、それぞれを予め設定された別の基準値と比較して、新品の判断や交換時期の判断を行なうことにより、バッテリー３８の管理をより正確に行なうことができる。
【００８５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８６】
１１…デジタルテレビジョン放送受信装置、１２…キャビネット、１３…支持台、１４…映像表示パネル、１５…スピーカ、１６…操作部、１６ａ…主電源スイッチ、１７…リモートコントローラ、１８…受光部、１９…バッテリー装着部、２０…アンテナ、２１…入力端子、２２…チューナ部、２３…復調復号部、２４…信号処理部、２５…合成処理部、２６…音声処理部、２７…映像処理部、２８…バックライト、２９…制御部、２９ａ…ＣＰＵ、２９ｂ…メモリ部、２９ｃ，２９ｄ…タイマ、２９ｅ…電源制御部、３０…ＨＤＤ、３０ａ…ハードディスク、３１…記録再生処理部、３２…入力端子、３３…ネットワークインターフェース、３４…ネットワーク回線網、３５…ネットワークサーバ、３６…電源部、３７…電源端子、３８…バッテリー、３９…入力端子、４０…ＡＣ−ＤＣ変換部、４１…バッテリー駆動制御部、４１ａ…セレクタ、４１ｂ…セレクタ制御部、４１ｃ…バッテリー電圧検出部、４１ｄ…充電制御部、４１ｅ…バッテリー装着検出部、４２，４３…出力端子、４４…入力端子、４５…出力端子、４６…入力端子、４７，４８…出力端子。
【要約】
【課題】個体識別ができない充電式のバッテリーに対して、充放電動作や交換時期等を適切に管理することができ、ユーザにとっての取り扱いを便利にし、実用に適し得るようにしたバッテリー管理装置及びバッテリー管理方法を提供すること。
【解決手段】実施の形態によれば、バッテリー管理装置は、計時手段と判定手段とを備える。計時手段は、バッテリーの出力電圧が、当該バッテリーが供給する直流電圧で機器を駆動することが要求されてから、当該バッテリーが放電を停止すべき電圧である放電停止電圧に下がるまでの放電時間を計時する。判定手段は、計時手段で計時された放電時間が、バッテリーを新品と判断するために設定された所定時間以上である場合、当該バッテリーを新品と判断する。
【選択図】    図３【図１】
0005143273.tif 000002
【図２】
0005143273.tif 000003
【図３】
0005143273.tif 000004
【図４】
0005143273.tif 000005
【図５】
0005143273.tif 000006
【図６】
0005143273.tif 000007
【図７】
0005143273.tif 000008
【図８】
0005143273.tif 000009
【図９】
0005143273.tif 000010
【図１０】
0005143273.tif 000011
【図１１】
0005143273.tif 000012